(57)【要約】  本発明は作品伝送方法及びシステムを開示され、通信技術領域に関わる。前記方法は：作品送信端は指FingerQプラットホームより作品受信端と暗号鍵を交換する；前記作品送信端は作品を前記FingerQプラットホームに送信し、前記FingerQプラットホームが前記作品を暗号化させ、暗号化された作品を取得して且つ前記作品受信端に送信することを含む；前記システムは：作品送信端と指FingerQプラットホームを含む。本発明作品送信端はFingerQプラットホームより作品受信端と暗号鍵を交換して、FingerQプラットホームは作品送信端の作品を暗号化させてから作品受信端に送信するため、作品は第三者に取得しがたい、且つ取得された作品は暗号化されたので、作品がよく保護され、安全性を有する。
2015535415.tif 000002
【特許請求の範囲】
【請求項１】
作品伝送方法であって、
作品送信端は指FingerQプラットホームより作品受信端と暗号鍵を交換する；
前記作品送信端は作品をFingerQプラットホームに送信し、前記FingerQプラットホームが前記作品を暗号化させ、暗号化された作品を前記作品受信端に送信する；
ことを特徴とする方法。
【請求項２】
前記作品送信端は指FingerQプラットホームより前記作品受信端と暗号鍵を交換することは：
前記作品送信端は前記作品送信端と対応するユーザーの指紋情報を抽出し、前記作品送信端と対応するユーザーの指紋情報より、前記作品送信端の指紋公開鍵及び指紋秘密鍵を取得する；
前記作品送信端は前記FingerQプラットホームより前記作品受信端に暗号鍵交換請求及び前記作品送信端の指紋公開鍵を送信する；
前記作品送信端は前記作品受信端が前記FingerQプラットホームより送信した暗号鍵交換確認情報及び前記作品受信端の指紋公開鍵を受信する；
ことを含むことを特徴とする請求項１に記載された方法。
【請求項３】
前記作品送信端は作品を前記FingerQプラットホームに送信し、前記FingerQプラットホームが作品を暗号化させ、取得した暗号化された作品を前記作品受信端に送信する：
前記作品送信端は作品を前記FingerQプラットホームに送信し、前記FingerQプラットホームが前記作品受信端の指紋公開鍵より作品を暗号化させ、公開鍵暗号化された作品を前記作品受信端に送信する
ことを特徴とする請求項２に記載された方法。
【請求項４】
前記作品送信端は作品を前記FingerQプラットホームに送信し、前記FingerQプラットホームが前記作品受信端の指紋公開鍵より作品を暗号化させ、公開鍵暗号化された作品を前記作品受信端に送信するのは、
作品送信端は前記作品送信端の指紋秘密鍵より作品を暗号化させ、秘密鍵暗号化された作品を取得する；
前記作品送信端は秘密鍵暗号化された作品を前記FingerQプラットホームに送信し、前記FingerQプラットホームが前記作品受信端の指紋公開鍵より秘密鍵暗号化された作品を暗号化させ、公開鍵及び秘密鍵で暗号化された作品を前記作品受信端に送信する
ことを含むことを特徴とする請求項３に記載された方法。
【請求項５】
前記FingerQプラットホームが作品を暗号化させ、暗号化された作品を前記作品受信端に送信してから、
前記作品受信端は受信且つ暗号化された作品を解読して、解読後の作品を取得且つ表示することを更に含む
ことを特徴とする請求項１に記載された方法。
【請求項６】
作品伝送システムであって、
作品送信端及び指FingerQプラットホームを含み、前記作品送信端は前記FingerQプラットホームと接続し、；
その中に、前記作品送信端は下記の部分：
前記FingerQプラットホームと接続して、前記FingerQプラットホームより作品受信端と暗号鍵を交換することに利用される送信端暗号鍵交換装置；
前記送信端暗号鍵交換装置と接続して、前記送信端暗号鍵交換装置が前記FingerQプラットホームより作品受信端と暗号鍵を交換してから、作品を前記FingerQプラットホームに送信する作品送信器を含み、
その中に、前記FingerQプラットホームは下記の部分：
前記作品送信器と接続して、前記作品送信器が送信した作品を受信する作品受信器；
前記作品受信器と接続して、前記作品受信器が受信した作品を暗号化させ、取得した暗号化後の作品を前記作品受信端に送信する作品プロセッサを含む
ことを特徴とする作品伝送システム。
【請求項７】
前記送信端暗号鍵交換装置は更に下記の部分：
前記作品送信端と対応するユーザーの指紋情報を抽出することに利用され、前記作品送信端と対応するユーザーの指紋情報に基づき、前記作品送信端の指紋公開鍵及び指紋秘密鍵を取得する送信端指紋センサー、
前記送信端指紋センサーと接続して、前記送信端指紋センサーが前記作品送信端の指紋公開鍵及び指紋秘密鍵を取得した後、暗号鍵交換請求及び前記作品送信端の指紋公開鍵を前記FingerQプラットホームに送信する送信端暗号鍵送信器を含み；
それに応じて、前記FingerQプラットホームは更に下記の部分：
前記送信端暗号鍵送信器と接続して、前記送信端暗号鍵送信器が送信した暗号鍵交換請求及び前記作品送信端の指紋公開鍵を受信することに利用され、前記送信端暗号鍵送信器が送信された暗号鍵交換請求及び前記作品送信端の指紋公開鍵を前記作品受信端に送信する送信端暗号鍵転送器；
前記作品送信端と接続して、前記作品受信端が送信した暗号鍵交換確認情報及び前記作品受信端の指紋公開鍵を受信することに利用され、前記作品受信端が送信した暗号鍵交換確認情報及び前記作品受信端の指紋公開鍵を前記作品送信端に送信する受信端暗号鍵転送器を含み；
それに応じて、前記送信端暗号鍵交換装置は下記の部分：
前記作品送信器及び前記受信端暗号鍵転送器と接続して、前記受信端暗号鍵転送器が送信した暗号鍵交換確認情報及び前記作品受信端の指紋公開鍵を受信する送信端暗号鍵受信器を含み、
それに応じて、前記作品送信器は、具体的に前記送信端暗号鍵受信器と接続して、前記送信端暗号鍵受信器が前記受信端暗号鍵転送器が送信した暗号鍵交換確認情報及び作品受信端の指紋公開鍵を受信してから、前記作品を前記FingerQプラットホームに送信する
ことを特徴とする請求項６に記載されたシステム。
【請求項８】
前記作品プロセッサは、前記受信端暗号鍵転送器と前記送信端暗号鍵受信器と接続して、具体的に前記受信端暗号鍵転送器又は前記送信端暗号鍵受信器を利用して取得した前記作品受信端の指紋公開鍵より作品を暗号化させ、公開鍵で暗号化された作品を前記作品受信端に送信する
ことを特徴とする請求項７に記載されたシステム。
【請求項９】
前記作品送信端は更に下記の部分を：
前記作品送信器と前記送信端指紋センサーと接続して、前記送信端指紋センサーを利用して取得した作品送信端の指紋秘密鍵より作品を暗号化させ、秘密鍵で暗号化された作品を取得する作品暗号器含み、
それに応じて、前記作品送信器は、具体的に前記作品暗号器と接続して、具体的に前記送信端暗号鍵受信器が前記受信端暗号鍵転送器から送信した暗号鍵交換確認情報及び前記作品受信端の指紋公開鍵を受信した後、前記作品暗号器が取得した秘密鍵で暗号化された作品を前記FingerQプラットホームに送信することに利用され、
それに応じて、前記作品受信器は、具体的に作品送信器が送信した秘密鍵で暗号化された作品を受信し；
それに応じて、前記作品プロセッサは、具体的に前記作品受信端の指紋公開鍵より秘密鍵で暗号化された作品を暗号化させ、公開鍵及び秘密鍵で暗号化された作品を前記作品受信端に送信することに利用される
ことを特徴とする請求項８に記載されたシステム。
【請求項１０】
前記システムは前記作品受信端を含み、前記作品受信端は前記FingerQプラットホームと接続し；
その中に、前記作品受信端は下記の部分：
前記作品プロセッサと接続して、前記作品プロセッサが送信した暗号化された作品を受信且つ暗号化された作品を解読して、解読後の作品を取得且つ表示することに利用される受信端プロセッサ
を含むことを特徴とする請求項６に記載されたシステム。
【発明の詳細な説明】
【発明の詳細な説明】
【０００１】
〔技術分野〕
本発明は、通信技術分野に関し、特に作品伝送方法及びシステムに関わっている。
【０００２】
〔背景技術〕
経済技術の発展に伴って、文字作品、映画テレビ作品、美術建築作品、撮影作品、ソフトウェア作品など各業界の各種の作品が次々と現れて尽きない。現在、文字作品、映画テレビ作品、美術建築作品、撮影作品、ソフトウェア作品など作品が完成した後、作品の著作者は作品を被授権者（著作権者の授権より当該作品を合法的に使用できる使用者）に伝送して、被授権者の使用に提供する。
【０００３】
ところが、本発明を実現する過程中、発明人は先行技術には少なくとも以下の問題がある：先行技術は作品を伝送中、直接に作品を送信すると、作品は簡単に第三者に獲得され、盗作使用又は不法的に散布されやすく、作品が安全性を有しない。
【０００４】
〔発明の概要〕
先行技術の問題を解決するために、本発明は作品伝送方法及びシステムを提供して、本発明の技術案とは、具体的に下記のように参照する。
【０００５】
一方では、本発明は作品伝送方法を開示され、前記方法は下記の内容：
作品送信端は指FingerQプラットホームより作品受信端と暗号鍵を交換する；
前記作品送信端は作品をFingerQプラットホームに送信し、前記FingerQプラットホームが前記作品を暗号化させ、暗号化された作品を前記作品受信端に送信する
を含む。
【０００６】
もう一方では、本発明は作品伝送システムを開示され、前記システムは作品送信端及び指FingerQプラットホームを含み、前記作品送信端は前記FingerQプラットホームと接続する。
【０００７】
その中に、前記作品送信端は下記の部分：
前記FingerQプラットホームより作品受信端と暗号鍵を交換することに利用される送信端暗号鍵交換装置；
前記送信端暗号鍵交換装置と接続して、前記送信端暗号鍵交換装置が前記FingerQプラットホームより作品受信端と暗号鍵を交換してから、作品を前記FingerQプラットホームに送信する作品送信器
を含む。
【０００８】
その中に、FingerQプラットホームは下記の部分：
前記作品送信器と接続して、前記作品送信器が送信した作品を受信する作品受信器；
前記作品受信器と接続して、前記作品受信器が受信した作品を暗号化させ、取得した暗号化後の作品を前記作品受信端に送信する作品プロセッサ、
を含む。
【０００９】
本発明の実施例が提供された技術案は、下記の有益な効果を有する。
作品送信端は指FingerQプラットホームより作品受信端と暗号鍵を交換して、FingerQプラットホームは前記作品送信端の作品を暗号化させてから、作品受信端に送信する。従いまして、作品は第三者に簡単に取得できず、且つ取得した作品は暗号化されたから、作品がよく保護され、安全性を有する。
【００１０】
〔図面についての説明〕
本発明実施例の技術案をより一層明確に説明するために、以下実施例に記載された図面について簡単に紹介する。明らかに、下記された図面はただ本発明実施例の一部であり、同業者にとって、創造的な労働をせず、それらの図面から他の図面をもらえる。
【００１１】
図1は、本発明実施例一が提供した一つの作品伝送方法のフロー図である；
図2は、本発明実施例二が提供した一つの作品伝送方法のフロー図である；
図3は、本発明実施例三が提供した第一種目作品伝送システムの構造図である；
図4は、本発明実施例三が提供した第二種目作品伝送システムの構造図である；
図5は、本発明実施例三が提供した第三種目作品伝送システムの構造図である；
図6は、本発明実施例三が提供した第四種目作品伝送システムの構造図である；
図7は、本発明実施例三が提供した第五種目作品伝送システムの構造図である。
【００１２】
〔具体的な実施形態〕
本発明の目的、技術案及び優れた点はより一層明確になるために、以下では、図面を参照して本発明の実施形態について詳しく記述する。
【００１３】
〔実施例一〕
本発明の実施例は作品伝送方法を開示され、図1に示すように、前記方法は下記の内容を含む：
101：作品送信端は指FingerQプラットホームより作品受信端と暗号鍵を交換する；
102：作品送信端は作品をFingerQプラットホームに送信し、FingerQプラットホームが作品を暗号化させ、暗号化された作品を作品受信端に送信する；
好ましくは、作品送信端は指FingerQプラットホームより作品受信端と暗号鍵を交換することは下記の内容を含む。
【００１４】
作品送信端は作品送信端と対応するユーザーの指紋情報を抽出し、作品送信端と対応するユーザーの指紋情報より、作品送信端の指紋公開鍵及び指紋秘密鍵を取得する；
作品送信端はFingerQプラットホームより作品受信端に暗号鍵交換請求及び作品送信端の指紋公開鍵を送信する；
作品送信端は作品受信端がFingerQプラットホームより送信した暗号鍵交換確認情報及び作品受信端の指紋公開鍵を受信する；
好ましくは、作品送信端は作品をFingerQプラットホームに送信し、FingerQプラットホームが作品を暗号化させ、暗号化された作品を作品受信端に送信することは：
作品送信端は作品をFingerQプラットホームに送信し、FingerQプラットホームが受信端の指紋公開鍵より作品を暗号化させ、公開鍵暗号化された作品を作品受信端に送信する。
【００１５】
好ましくは、作品送信端は作品をFingerQプラットホームに送信し、FingerQプラットホームが受信端の指紋公開鍵より作品を暗号化させ、公開鍵暗号化された作品を作品受信端に送信することは下記の内容を含む：
作品送信端は作品送信端の指紋秘密鍵より作品を暗号化させ、秘密鍵暗号化された作品を取得する；
作品送信端は秘密鍵暗号化された作品をFingerQプラットホームに送信し、FingerQプラットホームが受信端の指紋公開鍵より秘密鍵暗号化された作品を暗号化させ、公開鍵及び秘密鍵で暗号化された作品を作品受信端に送信する。
【００１６】
好ましくは、FingerQプラットホームが作品を暗号化させ、暗号化された作品を作品受信端に送信してから、
作品受信端は受信且つFingerQプラットホームより暗号化された作品を解読して、解読後の作品を取得且つ表示することを更に含む。
【００１７】
本発明の実施例に記述された作品伝送方法は、作品送信端が指FingerQプラットホームより作品受信端と暗号鍵を交換して、FingerQプラットホームは作品送信端の作品を暗号化させてから作品受信端に送信する。従いまして、作品が第三者に簡単に取得できず、且つ取得した作品は暗号化されたから、作品はよく保護され、安全性を有する。
【００１８】
説明する必要なのは、本発明の実施例に記述された作品伝送方法は、コンピューターなどターミナルに応用できるし、携帯電話などモバイルの中にも応用できるので、それに対して限定をしない。
【００１９】
〔実施例二〕
本発明の実施例は作品伝送方法を開示され、図2に示すように、前記方法は下記の内容を含む：
201：作品送信端は作品送信端と対応するユーザーの指紋情報を抽出し、作品送信端と対応するユーザーの指紋情報より、作品送信端の指紋公開鍵及び指紋秘密鍵を取得する；
その中に、作品送信端と対応するユーザーとは、作品の著作者、作品の著作者の代理人など作品の処理権を有するユーザーである。
【００２０】
具体的には、作品送信端に送信端指紋センサーが設けられ、送信端指紋センサーより作品送信端と対応するユーザーの指紋情報を抽出する。且つ、作品送信端にメモリーが設けられ、作品送信端と対応するユーザーの指紋情報、作品送信端の指紋公開鍵及び指紋秘密鍵を作品送信端のメモリーに保存する。
【００２１】
202：作品送信端は指FingerQプラットホームより作品受信端に暗号鍵交換請求及び作品送信端の指紋公開鍵を送信する；
その中に、作品送信端と対応するユーザーとは、被授権者、作品の被授権者の代理人など合法的に作品を使用できるユーザーである。
【００２２】
その中に、FingerQプラットホームはコンピューターなどターミナル又はノートパソコンなどモバイルターミナル、或いは他の相応的な機能を実現できる設備である。
【００２３】
具体的には、作品送信端は暗号鍵交換請求及び作品送信端の指紋公開鍵をFingerQプラットホームに送信する。FingerQプラットホームは作品送信端が送信した暗号鍵交換請求及び作品送信端の指紋公開鍵を作品受信端に送信する。
【００２４】
また、具体的には、FingerQプラットホームは作品送信端が送信した暗号鍵交換請求及び作品送信端の指紋公開鍵を受信してから、作品送信端の指紋公開鍵をFingerQプラットホームの対応する空間に保存できる。
【００２５】
203：作品受信端は暗号鍵交換請求及び作品送信端の指紋公開鍵を受信して、且つ作品送信端と暗号鍵を交換するか否かを確認する。交換すると確認する場合、204を実施する；でなければ、終了する。
【００２６】
具体的には、作品受信端は作品送信端の指紋公開鍵を作品受信端のメモリーに保存できる。
【００２７】
204：作品受信端はFingerQプラットホームより作品送信端に暗号鍵交換確認情報及び作品受信端の指紋公開鍵を送信する。
【００２８】
具体的には、作品受信端は暗号鍵交換確認情報及び作品受信端の指紋公開鍵をFingerQプラットホームに送信する。FingerQプラットホームは作品受信端が送信した暗号鍵交換確認情報及び作品受信端の指紋公開鍵を作品送信端に送信する。
【００２９】
また、具体的には、FingerQプラットホームは作品受信端が送信した暗号鍵交換確認情報及び作品受信端の指紋公開鍵を受信してから、作品受信端の指紋公開鍵をFingerQプラットホームの対応する空間に保存できる。
【００３０】
205：作品送信端は作品受信端がFingerQプラットホームを通じて送信した暗号鍵交換確認情報及び作品受信端を受信する。
【００３１】
具体的には、作品送信端は作品受信端の指紋公開鍵を作品送信端のメモリーに保存できる。
【００３２】
206：作品送信端は作品送信端の秘密鍵より作品を暗号化させ、秘密鍵に暗号化された作品をFingerQプラットホームに送信する。
【００３３】
207：FingerQプラットホームは受信端の指紋公開鍵より秘密鍵暗号化された作品を暗号化させ、公開鍵及び秘密鍵で暗号化された作品を作品受信端に送信する。
【００３４】
具体的には、FingerQプラットホームに受信端の指紋公開鍵を保存する場合、直接に保存場所から受信端の指紋公開鍵を読み込み、受信端の指紋公開鍵より秘密鍵で暗号化された作品を暗号化させる。FingerQプラットホームに受信端の指紋公開鍵を保存してない場合、作品受信端から作品受信端の指紋公開鍵を取得し、受信端の指紋公開鍵より秘密鍵で暗号化された作品を暗号化させる。
【００３５】
208：作品受信端は公開鍵及び秘密鍵で暗号化された作品を受信且つ解読して、解読後の作品を取得且つ表示してから終了する。
【００３６】
その中に、公開鍵及び秘密鍵で暗号化された作品を解読し、解読後の作品を表示するなど操作は、作品受信端において実現できるし、FingerQプラットホームにおいて実現できるもいい。
【００３７】
作品受信端において実現する場合、具体的には、作品受信端は公開鍵及び秘密鍵で暗号化された作品を受信する；作品受信端は作品受信端の秘密鍵及び作品送信端の公開鍵より公開鍵及び秘密鍵で暗号化された作品を解読し、解読後の作品を取得且つ表示する。
【００３８】
FingerQプラットホームにおいて実現する場合、具体的には、作品受信端は公開鍵及び秘密鍵で暗号化された作品を受信する；作品受信端はFingerQプラットホームより公開鍵及び秘密鍵で暗号化された作品を解読して、FingerQプラットホームで解読後の作品を取得且つ表示する。FingerQプラットホームより解読及び表示を実現することを通じて、。FingerQプラットホームを有する限り作品を取得できるから、作品受信端は作品を取得した後作品に対する乱用することを制限させ、より一層作品を保護できる。
【００３９】
本発明の実施例に記述された作品伝送方法は、作品送信端が指FingerQプラットホームより作品受信端と暗号鍵を交換して、FingerQプラットホームは作品送信端の作品を暗号化させてから作品受信端に送信する。従いまして、作品が第三者に簡単に取得できず、且つ取得した作品は暗号化されたから、作品はよく保護され、安全性を有する。
【００４０】
〔実施例三〕
本発明の実施例は作品伝送システムを開示され、図3に示すように、システムは作品送信端30及び指FingerQプラットホーム40を含め、作品送信端30はFingerQプラットホーム40と接続する；
その中に、作品送信端30は下記の部分を含む：
送信端暗号鍵交換装置301、FingerQプラットホーム40と接続して、FingerQプラットホーム40より作品受信端50と暗号鍵を交換することに利用される；
作品送信器302、送信端暗号鍵交換装置301と接続して、送信端暗号鍵交換装置がFingerQプラットホーム40より作品受信端50と暗号鍵を交換してから、作品をFingerQプラットホーム40に送信する。
【００４１】
その中に、FingerQプラットホーム40は下記の部分を含む：
作品受信器401、作品送信器302と接続して、作品送信器302が送信した作品を受信する；
作品プロセッサ402、作品受信器401と接続して、作品受信器401が受信した作品を暗号化させ、暗号化後の作品を作品受信端50に送信する。
【００４２】
好ましくは、図4に示すように、送信端暗号鍵交換装置301は更に下記の部分を含む：
送信端指紋センサー3011、作品送信端30と対応するユーザーの指紋情報を抽出することに利用され、作品送信端30と対応するユーザーの指紋情報に基づき、作品送信端30の指紋公開鍵及び指紋秘密鍵を取得する。
【００４３】
送信端暗号鍵送信器3012、送信端指紋センサー3011と接続して、送信端指紋センサー3011が作品送信端30の指紋公開鍵及び指紋秘密鍵を取得した後、暗号鍵交換請求及び作品送信端30の指紋公開鍵をFingerQプラットホーム40に送信する；
それに応じて、FingerQプラットホーム40は下記の部分を含む：
送信端暗号鍵転送器403、送信端暗号鍵送信器3012と接続して、送信端暗号鍵送信器3012が送信した暗号鍵交換請求及び作品送信端30の指紋公開鍵を受信することに利用され、送信端暗号鍵送信器3012が送信された暗号鍵交換請求及び作品送信端30の指紋公開鍵を作品受信端50に送信する。
【００４４】
受信端暗号鍵転送器404、作品送信端30と接続して、作品受信端50が送信した暗号鍵交換確認情報及び作品受信端50の指紋公開鍵を受信することに利用され、作品受信端50が送信した暗号鍵交換確認情報及び作品受信端50の指紋公開鍵を作品送信端30に送信する。
【００４５】
それに応じて、送信端暗号鍵交換装置301は下記の部分を含む：
送信端暗号鍵受信器3013、作品送信器302及び受信端暗号鍵転送器404とそれぞれ接続して、受信端暗号鍵転送器404が送信した暗号鍵交換確認情報及び作品受信端50の指紋公開鍵を受信する；
それに応じて、作品送信器302、具体的に送信端暗号鍵受信器3013と接続して、送信端暗号鍵受信器3013が受信端暗号鍵転送器404が送信した暗号鍵交換確認情報及び作品受信端50の指紋公開鍵を受信してから、作品をFingerQプラットホーム40に送信する。
【００４６】
好ましくは、図5に示すように、作品プロセッサ402、受信端暗号鍵転送器404と送信端暗号鍵受信器3013と接続して、具体的に受信端暗号鍵転送器404又は送信端暗号鍵受信器3013を利用して取得した作品受信端50の指紋公開鍵より作品を暗号化させ、公開鍵で暗号化された作品を作品受信端50に送信する。
【００４７】
好ましくは、図6に示すように、作品送信端30は更に下記の部分を含む：
作品暗号器303、作品送信器302と送信端指紋センサー3011と接続して、送信端指紋センサー3011を利用して取得した作品送信端の指紋秘密鍵より作品を暗号化させ、秘密鍵で暗号化された作品を取得する。
【００４８】
それに応じて、作品送信器302、具体的に作品暗号器303と接続して、具体的に送信端暗号鍵受信器3013が受信端暗号鍵転送器404から送信した暗号鍵交換確認情報及び作品受信端50の指紋公開鍵を受信した後、作品暗号器303が取得した秘密鍵で暗号化された作品をFingerQプラットホーム40に送信することに利用される。
【００４９】
それに応じて、作品受信器401、具体的に作品送信器302が送信した秘密鍵で暗号化された作品を受信する；
それに応じて、作品プロセッサ402、具体的に作品受信端50の指紋公開鍵より秘密鍵で暗号化された作品を暗号化させ、公開鍵及び秘密鍵で暗号化された作品を作品受信端50に送信することに利用される。
【００５０】
好ましくは、図7に示すように、当該システムは作品受信端50を含み、作品受信端50はFingerQプラットホーム40と接続する；
その中に、作品受信端50は下記の部分を含む：
受信端プロセッサ501、作品プロセッサ402と接続して、作品プロセッサ402が送信した暗号化された作品を受信且つ暗号化された作品を解読して、解読後の作品を取得且つ表示することに利用される。
【００５１】
説明する必要なのは、本発明実施例の各設備の間に接続する時、有線方式、無線方式又は他の方式にて接続して、それに対して具体的に限定せず、実際の応用状況により設置することができる。
【００５２】
本発明の実施例に記述された作品伝送システムは、作品送信端が指FingerQプラットホームより作品受信端と暗号鍵を交換して、FingerQプラットホームは作品送信端の作品を暗号化させてから作品受信端に送信する。従いまして、作品は第三者に簡単に取得できず、且つ取得した作品は暗号化されたから、作品がよく保護され、安全性を有する。
【００５３】
説明する必要なのは、上記された実施例に提供された作品伝送システムは、上記された各機能モジュールの区分を例として説明するだけで、実際的に応用する際に、必要に応じて上記された機能を違うモジュールで完成られ、即ちシステムの内部構造を違う機能モジュールに分けられ、上記された全部又は部分の機能を完成する。そして、上記された実施例に提供された作品伝送システムと作品伝送方法が実際に同一構想に所属され、具体的な実施過程は方法実施例を参照して、ここで贅言を要しない。
【００５４】
上記された本発明の実施例の番号は記述するためだけ、実施例の優劣を代表しない。
【００５５】
同業者として下記のことを良く理解できる。上記された実施例の全部又は部分のステップはハードウェアより、或いはプログラムより関連ハードウェアを指令することで完成できる。前記プログラムはコンピューターの可読記憶媒体の中に保存できる。前記記憶媒体はROM、磁気ディスク或いは光ディスク等である。
【００５６】
上記されたのは本発明のよりいい実施例だが、本発明を限定されない。本発明の主旨及び原則の中に、如何なる訂正、同等取替え、改善等、全部本発明の保護範囲に含まれる。
【図面の簡単な説明】
【００５７】
【図１】本発明実施例一が提供した一つの作品伝送方法のフロー図である。
【図２】本発明実施例二が提供した一つの作品伝送方法のフロー図である。
【図３】本発明実施例三が提供した第一種目作品伝送システムの構造図である。
【図４】本発明実施例三が提供した第二種目作品伝送システムの構造図である。
【図５】本発明実施例三が提供した第三種目作品伝送システムの構造図である。
【図６】本発明実施例三が提供した第四種目作品伝送システムの構造図である。
【図７】本発明実施例三が提供した第五種目作品伝送システムの構造図である。
【図１】
2015535415.tif 000003
【図２】
2015535415.tif 000004
【図３】
2015535415.tif 000005
【図４】
2015535415.tif 000006
【図５】
2015535415.tif 000007
【図６】
2015535415.tif 000008
【図７】
2015535415.tif 000009
【国際調査報告】
2015535415.tif 000010
2015535415.tif 000011
2015535415.tif 000012
2015535415.tif 000013